(57)【特許請求の範囲】
【請求項１】
流体が通過する流体通過管の入口側に送り部としての流体供給管が連設され、出口側に戻り部としての流体収集管が連設され、流体通過管を駐車場や鉄筋コンクリート製の家屋の屋上等の融雪面に埋設して温水を通過させることで当該融雪面の積雪を融雪し得るように構成した流体通過装置であって、流体通過管と流体供給管との間に弁を内装した第一弁部が設けられ、この第一弁部は弁の切り替え操作により、流体供給管から流体通過管へ流体を通過させる第一状態、流体供給管から流体通過管とは別の上方向へ流体を通過させる第二状態及び流体通過管から流体供給管とは別の上方向へ流体を通過させる第三状態が作出されるように構成され、更に、流体通過管と流体収集管との間に弁を内装した第二弁部が設けられ、この第二弁部は弁の切り替え操作により、流体通過管から流体収集管へ流体を通過させる第一状態、流体収集管から流体通過管とは別の上方向へ流体を通過させる第二状態及び流体通過管から流体収集管とは別の上方向へ流体を通過させる第三状態が作出されるように構成され、この第一弁部及び第二弁部から作出される前記各三つの状態を夫々組み合わせて流体の漏れや詰まりなどを確認する種々の試験が行なえるように構成されていることを特徴とする流体通過装置。
【請求項２】
請求項１記載の流体通過装置において、前記第一弁部の弁及び第二弁部の弁として三方向へ流体の通過路を有する三方向弁を採用したことを特徴とする流体通過装置。
【発明の詳細な説明】
【０００１】
【発明の属する技術分野】
本発明は、流体通過装置に関するものである。
【０００２】
【従来の技術及び発明が解決しようとする課題】
従来から、例えば駐車場や鉄筋コンクリート製の家屋の屋上に埋設した流体通過管（流体通過部）に温水を通過させることで当該駐車場や屋上に積もった雪を融雪し得るように構成した流体通過装置が提案されている。
【０００３】
この流体通過装置に係る流体通過管は、その入口側に流体通過管内に流体を供給する流体供給管（送り部）が連結され、出口側に流体通過管を通過した流体を収集する流体収集管（戻り部）が連結されている。
【０００４】
ところで、この流体通過装置を駐車場や屋上に設置した直後、或いは、設置してからある程度の時間（何カ月間、何年間）が経過した後において、流体通過管、流体供給管及び流体収集管に漏れがないか、詰まりがないかなどの試験が必要となる。
【０００５】
この試験に際しては、流体通過管と、流体供給管及び流体収集管との各連結部を取り外し、この各管の端部に試験器などの種々の装置を接続することで行われているが、この試験器を接続する各部位の取り外し作業、取り外した各部位の接続作業は非常に厄介であり、そして、この試験器を接続する部位が埋設されている場合には尚更である。
【０００６】
本出願人は、上述の問題点に鑑み、極めて商品価値の高い画期的な流体通過装置を開発した。
【０００７】
【課題を解決するための手段】
添付図面を参照して本発明の要旨を説明する。
【０００８】
流体が通過する流体通過管１の入口側に送り部２としての流体供給管２が連設され、出口側に戻り部３としての流体収集管３が連設され、流体通過管１を駐車場や鉄筋コンクリート製の家屋の屋上等の融雪面に埋設して温水を通過させることで当該融雪面の積雪を融雪し得るように構成した流体通過装置であって、流体通過管１と流体供給管２との間に弁５を内装した第一弁部４が設けられ、この第一弁部４は弁５の切り替え操作により、流体供給管２から流体通過管１へ流体を通過させる第一状態、流体供給管２から流体通過管１とは別の上方向へ流体を通過させる第二状態及び流体通過管１から流体供給管２とは別の上方向へ流体を通過させる第三状態が作出されるように構成され、更に、流体通過管１と流体収集管３との間に弁７を内装した第二弁部６が設けられ、この第二弁部６は弁７の切り替え操作により、流体通過管１から流体収集管３へ流体を通過させる第一状態、流体収集管３から流体通過管１とは別の上方向へ流体を通過させる第二状態及び流体通過管１から流体収集管３とは別の上方向へ流体を通過させる第三状態が作出されるように構成され、この第一弁部４及び第二弁部６から作出される前記各三つの状態を夫々組み合わせて流体の漏れや詰まりなどを確認する種々の試験が行なえるように構成されていることを特徴とする流体通過装置に係るものである。
【０００９】
また、請求項１記載の流体通過装置において、前記第一弁部４の弁５及び第二弁部６の弁７として三方向へ流体の通過路を有する三方向弁を採用したことを特徴とする流体通過装置に係るものである。
【００１０】
【発明の作用及び効果】
本発明は、第一弁部４に係る弁５の切り替え操作及び第二弁部６に係る弁７の切り替え操作により、流体の流れる状態（第一状態、第二状態及び第三状態）を適宜選択して、流体を通常どおり流体通過部１に適当量通過させることは勿論、流体通過部１、送り部２及び戻り部３の各部位における流体の漏れや詰まりなどの種々の試験が簡易に行えることになる。
【００１１】
以上のように、本発明は、従来にない画期的な作用効果を発揮し、極めて商品価値の高いものになる。
【００１２】
【発明の実施の形態】
図面は本発明の一実施例を図示したものであり、以下に説明する。
【００１３】
本実施例は、流体通過部１（流体通過管）に流体としての温水を通過せしめることで融雪を行う流体通過装置Ａを設けている。
【００１４】
尚、本実施例は、流体通過装置Ａとして流体通過管１内に流体としての温水を通過させる融雪装置を構成したが、例えば床暖房装置や或いは冷却装置に構成したり、更には、流体として温風や冷風などの気体を採用するなど本実施例の特性を発揮する構成であれば適宜採用するものである。
【００１５】
以下、本実施例に係る構成各部について詳細な説明をする。
流体通過管１は、図１に図示したように適宜な管部材を蛇行状態に配して構成したものであり、内部に温水を通過させることで放熱管として機能する。
【００１６】
また、流体通過管１は、その上流部に温水を供給する送り部としての流体供給管２が連結され、その下流部に流体通過部１を通過した温水を収集する戻り部としての流体収集管３が連結されている。
【００１７】
尚、流体通過管１、流体供給管２及び流体収集管３は金属製でも合成樹脂製でも良い。
この流体通過管１と流体供給管２との間及び流体通過管１と流体収集管３との間には夫々第一弁部４及び第二弁部６が設けられている。
【００１８】
この第一弁部４及び第二弁部６は、夫々弁本体８，９内に弁５，７を内装して構成される公知の三方向弁であり、第一弁部４及び第二弁部６ともに同一構造である。
【００１９】
弁本体８，９は、図２に図示したように適宜な金属製の部材を形成したものであり、その内部には後述する弁５，７を配設し得る空間Ｓが形成され、この空間Ｓは９０°間隔で分岐して上方向及び左右方向の三カ所に開口している。
【００２０】
この弁本体８，９夫々の三つの開口部８ａ，８ｂ，８ｃ，９ａ，９ｂ，９ｃのうち図２中左側部に設けられる開口部８ａ，９ａは流体供給管２（流体収集管３）へ接続され、図２中右側部に設けられる開口部８ｃ，９ｃは流体通過管１へ接続され、図２中上部に設けられる開口部８ｂ，９ｂは試験器（流量計，圧力計）やポンプなどを接続したり、そのまま開口状態としたりする。
【００２１】
弁５，７は、図２に図示したように適宜な金属製の部材を球状に形成したものであり、弁本体８，９の空間Ｓ内に自転可能な状態で配設されている。
【００２２】
また、弁５，７の表面三カ所には、９０°間隔で開口部５ａ，５ｂ，５ｃ，７ａ，７ｂ，７ｃが設けられ、この各開口部５ａ，５ｂ，５ｃ，７ａ，７ｂ，７ｃは、弁５，７内において連通せしめられている。
【００２３】
従って、この弁５，７を自転操作することにより、弁本体８，９を通過する流体の通過状態は変化することになる。
【００２４】
具体的には、弁５，７を図２の状態にした際には、流体供給管２（流体通過管１）から流体通過管１（流体収集管３）へ流体を通過させる状態（第一状態）が作出され、弁５，７を図３の状態にした際には、流体供給管２（流体収集管３）から流体通過管１とは別の方向（弁本体８，９の上部開口部８ｂ，９ｂ）へ流体を通過させる状態（第二状態）が作出され、弁５，７を図４の状態にした際には、流体通過管１から流体供給管２（流体収集管３）とは別の方向（弁本体８，９の上部開口部８ｂ，９ｂ）へ流体を通過させる状態（第三状態）が作出される。
【００２５】
本実施例は上述のように構成したから、第一弁部４に係る弁５の切り替え操作及び第二弁部６に係る弁７の切り替え操作により、温水の流れる状態（第一状態、第二状態及び第三状態）を適宜選択して、温水を通常通り流体通過部１に適当量通過させることは勿論、流体通過部１、送り部２及び戻り部３の各部位における流体の漏れや詰まりなどの種々の試験が行えることになる。
【００２６】
以下、第一弁部４及び第二弁部５から作出される流体の流れる状態夫々を組み合わせた本実施例の利用方法について図面を参照して説明する。
【００２７】
図５の（ａ）に示すとおり、第一弁部４を第一状態とし、第二弁部６を第一状態とすれば、流体通過管１内に流体が通常どおり通過する状態となり、弁５，７を適宜自転させることで通過流量の調整も可能となる。
【００２８】
次に、図５の（ｂ）に示すとおり、第一弁部４を第二状態とし、第二弁部６を第二状態とした際、第一弁部４及び第二弁部６における流体の流れる先、具体的には、例えば流体供給管２の基端にポンプを設け、弁本体８の上部開口部８ｂに試験器（流量計，圧力計）を接続すると流体供給管２の気密試験が行えることになる。
【００２９】
同様に、第一弁部４を第二状態とし、第二弁部６を第二状態とした際、例えば流体収集管３の基端にポンプを設け、弁本体９の上部開口部９ｂに試験器（流量計，圧力計）を接続すると流体収集管３の気密試験が行えることになる。
【００３０】
次に、図５の（ｃ−１）に示すとおり、第一弁部４を第三状態とし、第二弁部６を第三状態とした際、例えば弁本体８の上部開口部８ｂにポンプを設け、弁本体９の上部開口部９ｂに試験器（流量計，圧力計）を接続すると流体通過管１の気密試験が行え、更に、図５の（ｃ−２）に示すとおり、弁本体８，９の上部開口部８ｂ，９ｂから流体を抜くことで流体通過管１の修繕が行えることになる。
【００３１】
次に、図５の（ｄ）に示すとおり、第一弁部４を第一状態とし、第二弁部６を第三状態とした際、第二弁部６における流体の流れる先（弁本体９の上部開口部９ｂ）に試験器（流量計，圧力計）を接続するなどして流体通過管１の通水試験が行え、更に、流体通過管１内に洗剤を充填したり、洗浄した際のゴミや汚水などを排出することができる。
【００３２】
よって、本実施例によれば、流体通過部１を通過する流体の流量の調整が良好に行え、しかも、従来のように各部の漏れや詰まりを試験する度に管を外したり接続したりする作業は不要となり、第一弁部４に係る弁５及び第二弁部６に係る弁７の操作を行うだけで種々の試験が簡易且つ迅速に行えることになる。
【図面の簡単な説明】
【図１】  本実施例を示す斜視図である。
【図２】  本実施例に係る要部の概略動作説明図である。
【図３】  本実施例に係る要部の概略動作説明図である。
【図４】  本実施例に係る要部の概略動作説明図である。
【図５】  本実施例の使用状態を示す概略動作説明図である。
【符号の説明】
１  流体通過管
２  送り部，流体供給管
３  戻り部，流体収集管
４  第一弁部
５  弁
６  第二弁部
７  弁
【図１】
0003868237.tif 000002
【図２】
0003868237.tif 000003
【図３】
0003868237.tif 000004
【図４】
0003868237.tif 000005
【図５】
0003868237.tif 000006